(57)【特許請求の範囲】
【請求項１】
筐体部と前記筐体部を保持する保持部とを有する医療機器であって、
前記筐体部は、第１のフレーム部と、前記第１のフレーム部に隣接した両側に対称に取り付けられた第２および第３のフレーム部とを備え、
前記第１のフレーム部が前記第２および第３のフレーム部よりも第１の方向に短く形成され、前記第１の方向と直交する第２の方向および第３の方向のサイズが同等に形成されて、前記筐体部の一側面に、上下方向に沿って、ロッド状の部材に取り付け可能な断面Ｕ字状の溝部が形成され、
前記第１のフレーム部には、スイッチ部、バッテリ、および通気路が収容され、
前記第２および第３のフレーム部には、第１の測定モジュールと第２の測定モジュールの少なくともいずれかと、制御ユニットおよび電源ユニットが収容され、
前記保持部は、前記溝部が嵌合されるロッド状の支柱部を有し、当該支柱部を起立した状態で支持し、
前記支柱部には、複数の前記筐体部が上下方向に積み重ねて取り付け可能であることを特徴とする医療機器。
【請求項２】
前記保持部は、平面部と、前記平面部から放射状に延びる複数のスタンド部を有する脚部を有し、
前記支柱部は、その下端部が前記平面部の略中心部分に接続されて起立した状態で支持されることを特徴とする請求項１に記載の医療機器。
【請求項３】
前記支柱部にはさらにトレー部と表示部が取り付け可能であることを特徴とする請求項１または２に記載の医療機器。
【請求項４】
前記支柱部は、第１の支柱部と、前記第１の支柱部に対して伸縮自在な第２の支柱部を含み、
前記筐体部は前記第１の支柱部に取り付けられ、前記表示部は前記第２の支柱部の上端部に取り付けられることを特徴とする請求項３に記載の医療機器。
【請求項５】
前記筐体部を前記支柱部に固定する固定部材と、前記溝部が形成された前記筐体部の一側面を覆うカバー部と、をさらに有することを特徴とする請求項１ないし４のいずれか１項に記載の医療機器。
【請求項６】
前記筐体部は、前記固定部材で固定していない状態であっても、前記支柱部に前記溝部を嵌合させた状態だけで前記保持部の平面部に載置することが可能であることを特徴とする請求項５に記載の医療機器。
【請求項７】
前記医療機器は、前記溝部を前記支柱部に嵌合させた状態で前記筐体部を前記保持部に取り付けた第１の使用状態と、前記保持部とかかわりなく単体で設置される第２の使用状態とが選択可能であることを特徴とする請求項１ないし６のいずれか１項に記載の医療機器。
【請求項８】
前記第２の使用状態で、前記筐体部には表示部が接続可能であることを特徴とする請求項７に記載の医療機器。
【請求項９】
前記第１の測定モジュールは血圧脈波測定モジュールであり、前記第２の測定モジュールは心電測定モジュールであることを特徴とする請求項１ないし８のいずれか１項に記載の医療機器。
【請求項１０】
前記第２および第３のフレーム部には、複数の前記血圧脈波測定モジュールが装着可能であることを特徴とする請求項９に記載の医療機器。
【発明の詳細な説明】
【技術分野】
【０００１】
本発明は、医療機器に関し、特に医療機器の本体構造に関する。
【背景技術】
【０００２】
従来、単独での移動が困難なラップトップ型やスタンドアローン型の医療機器は、キャスター付のテーブル（特許文献１参照）に載置したり、ロッド状の部材を有する保持部に一体化して設けたりすることにより移動可能に構成されている。例えば、従来のキャスター付の保持部２００’は、図９に示すように、装置本体１００’がロッド状の支柱部２０１’と一体的に構成され、片持ち梁状に支持された状態となっている。
【先行技術文献】
【特許文献】
【０００３】
【特許文献１】特開２００４−２２３１５６号公報
【発明の概要】
【発明が解決しようとする課題】
【０００４】
上記のように、装置本体１００’を片持ち梁状に支持した状態では、装置本体１００’の重心位置と支柱部２０１’との距離が大きくなるため、保持部２００’に作用する回転モーメントが大きくなる。このため、移動時や外力が作用した時などにおける保持部２００’の倒れを防止するために、脚部２０２’を装置本体１００’の重心位置よりも十分に外方に伸ばすなどして、装置本体１００’を含む保持部２００’の安定性を高める対策がとられている。このため、保持部２００’の脚部２０２’が大型化して、保持部全体の設置面積が大きくなり、移動時に人や物に衝突しないよう取り扱いにも注意を要する。
【０００５】
本発明は、上述した課題に鑑みなされ、その目的は、装置本体を保持する保持部の設置面積を小さくできかつ安定性を高めることができる医療機器の本体構造を実現することである。
【課題を解決するための手段】
【０００６】
上記課題を解決し、目的を達成するために、本発明は、筐体部と前記筐体部を保持する保持部とを有する医療機器であって、前記筐体部は、第１のフレーム部と、前記第１のフレーム部に隣接した両側に対称に取り付けられた第２および第３のフレーム部とを備え、前記第１のフレーム部が前記第２および第３のフレーム部よりも第１の方向に短く形成され、前記第１の方向と直交する第２の方向および第３の方向のサイズが同等に形成されて、前記筐体部の一側面に、上下方向に沿って、ロッド状の部材に取り付け可能な断面Ｕ字状の溝部が形成され、前記第１のフレーム部には、スイッチ部、バッテリ、および通気路が収容され、前記第２および第３のフレーム部には、第１の測定モジュールと第２の測定モジュールの少なくともいずれかと、制御ユニットおよび電源ユニットが収容され、前記保持部は、前記溝部が嵌合されるロッド状の支柱部を有し、当該支柱部を起立した状態で支持し、前記支柱部には、複数の前記筐体部が上下方向に積み重ねて取り付け可能である。
【発明の効果】
【０００７】
本発明によれば、装置本体を保持する保持部の設置面積を小さくできかつ安定性を高めることができる。
【図面の簡単な説明】
【０００８】
【図１】本発明に係る実施形態の医療機器を異なる方向から見た外観斜視図である。
【図２】本実施形態の医療機器を異なる方向から見た外観斜視図である。
【図３】本実施形態の医療機器を異なる方向から見た外観斜視図である。
【図４】本実施形態の医療機器の本体部を背面から見た斜視図である。
【図５】図４の本体部からカバーを取り外した状態の斜視図である。
【図６】本実施形態の医療機器の使用状態を示す図である。
【図７】本実施形態の医療機器の使用状態を示す図である。
【図８】本実施形態の医療機器の使用状態を示す図である。
【図９】従来の医療機器の外観図である。
【発明を実施するための形態】
【０００９】
以下に、本発明の実施の形態について、添付図面を参照して詳細に説明する。
尚、以下に説明する実施の形態は、本発明の実現手段としての一例であり、本発明は、その趣旨を逸脱しない範囲で本実施形態を修正又は変形したものに適用可能である。
【００１０】
本実施形態では、心電測定モジュールおよび血圧脈波測定モジュールを搭載する医療機器について説明する。
【００１１】
図１ないし図３は本発明に係る実施形態の医療機器を異なる方向から見た外観斜視図である。図４および図５は本実施形態の医療機器の背面カバーおよび側面カバーを取り外した状態を示す斜視図である。図６ないし図８は本実施形態の医療機器の様々な使用状態を示す図である。
【００１２】
図１ないし図５に示すように、本実施形態の医療機器１は、本体部１００と、保持部２００と、表示部３００とを備える。
【００１３】
本体部１００は、装置本体の骨格を構成する金属製の筐体部１０１と、筐体部１０１の外装材となる樹脂製のカバー部１２０と、底板となる樹脂製のベース部１２５とを備える。筐体部１０１は、直方体状の第１のフレーム部１０２と、第１のフレーム部１０２に隣接した両側に対称に取り付けられた直方体状の第２および第３のフレーム部１０３、１０４とからなる。第１のフレーム部１０２は、第２および第３のフレーム部１０３、１０４よりも１／２〜１／３程度奥行き方向（図４のＺ方向）に短く形成され、他の幅方向および高さ方向（図４のＸ方向およびＹ方向）のサイズはほぼ同等に形成され、上面から見て全体が略Ｈ型に構成されている。このような構成にすることで、本体部１００の外形を構成する６つの側面部のうち一側面に、上下方向（Ｙ方向）に沿って延びる所定深さの断面Ｕ字状の溝部１０５が形成される。この溝部１０５は、その高さ（Ｙ方向の寸法）および深さ（Ｚ方向の寸法）が第２および第３のフレーム部１０３、１０４の対向する側面部１０３ａ、１０４ａにより規定され、開口幅（図４のＸ方向の寸法）が第１のフレーム部１０２の背面部１０２ａにより規定される。
【００１４】
第１のフレーム部１０２には、バッテリが内蔵され、カバー部１２０の前面１２０ａにはスイッチ部１１０やメモリカードスロット１１５などが収容されている。また、第１のフレーム部１０２には、冷却用ファンが内蔵され、第２および第３のフレーム部１０３、１０４を含めた内部の温度上昇を防ぐための通気路として機能する。第２のフレーム部１０３には、上段に制御ユニット１３０が内蔵され、下段に心電測定モジュール１４０が着脱可能に取り付けられる。第３のフレーム部１０４には、上段に複数（本実施形態では２個）の血圧脈波測定モジュール１５０が着脱可能に取り付けられ、下段に電源ユニット１６０が内蔵される。
【００１５】
制御ユニット１３０は、ＣＰＵ、ＲＯＭ、ＲＡＭ、インターフェース回路などが実装された制御基板からなる。制御ユニット１３０は、スイッチ部１１０からの操作入力に応じて、所定の制御プログラムの手順を実行し、本体部１００の筐体部１０１に搭載された心電測定モジュール１４０、血圧脈波測定モジュール１５０、電源ユニット１６０などを制御する。また、制御ユニット１３０は、心電測定モジュール１４０や血圧脈波測定モジュール１５０による測定結果を表示部３００に表示したり、ハードディスクやメモリカードなどの記憶装置に保存したりする。
【００１６】
心電測定モジュール１４０は、被検者の体表面に付けた電極からの入力信号を用いて心電図データを生成する。血圧脈波測定モジュール１５０は、被検者の上腕や足首に装着されたカフの圧力信号を用いて血圧データや脈波データを生成する。なお、心電図や血圧の測定方式については既知であるので詳細な説明は省略する。
【００１７】
本実施形態の血圧脈波測定モジュール１５０は、１つのユニットに対して複数のカフが接続可能であるので、筐体部１０１の第３のフレーム部１０４に１個または２個の血圧脈波測定モジュールが装着されていたとすると、１個の血圧脈波測定モジュール１５０を使用して測定を行う場合には、同一被検者の異なる部位で血圧や脈波を同時に測定することができ、これによりＡＢＩ（上肢下肢血圧比）、ＰＷＶ（脈波伝播速度）、ＰＷＴ（脈波伝播時間）などを測定することができる。例えば、一方のカフを上腕に装着し、他方のカフを足首に装着した状態として各部位で脈波および／または血圧を測定する。また、２個の血圧脈波測定モジュールを使用して測定を行う場合は、例えば、複数の被検者の血圧や脈波を測定したり、あるいは、カフを被検者の左右の上腕および左右の足首に装着した状態として各部位で血圧や脈波を同時に測定することができる。なお、３個目からの血圧脈波測定モジュールは、本体部１００の筐体部１０１の内部には取り付けできないが、外付けで増設可能である。
【００１８】
電源ユニット１６０は、商用電源（ＡＣ）や１次電池や２次電池などのバッテリからの電力を制御ユニット１３０や各測定モジュール１４０、１５０に供給したり、停止したりする制御を行う。
【００１９】
スイッチ部１１０は、制御ユニット１３０への指示や設定のためのユーザ操作を受け付けるスイッチボタンなどであり、表示部３００は測定結果や設定情報などを表示するＬＣＤパネルなどである。なお、スイッチ部１１０は、表示部３００に一体的に構成されたタッチパネルやＬＣＤパネルの近傍に設けられた操作部を含む。
【００２０】
カバー部１２０は、第１ないし第３の各フレーム部１０２〜１０４が組み付けられた筐体部１０１の外観の見栄えが考慮された外装材であり、本体部１００の前面１２０ａ、上面１２０ｂ、側面１２０ｃにそれぞれ装着される。なお、第１のフレーム部１０２の上記溝部１０５が形成された裏面１０２ａには、必要に応じて箱型の背面カバー１０６が装着可能となっている。
【００２１】
上述したように、本実施形態の医療機器１は、制御ユニット１３０や電源ユニット１６０、心電測定モジュール１４０や血圧脈波測定モジュール１５０が、筐体部１０１における溝部１０５が形成された領域と隣接する領域に選択的に収容可能であり、溝部１０５が形成された筐体部１０１には、スイッチ部１１０、バッテリ、および通気路が収容可能である。なお、本実施形態の医療機器１の筐体部１０１には、心電測定モジュール１４０と血圧脈波測定モジュール１５０の少なくともいずれか、あるいは、心電測定モジュール１４０や血圧脈波測定モジュール１５０とは異なる他の機能モジュールを収容することも可能である。
【００２２】
次に、保持部２００の構成および機能について説明する。
保持部２００は、本体部１００を移動可能に保持するために選択的に使用される。保持部２００は、本体部１００の溝部１０５に嵌合可能なロッド状のパイプ材からなる支柱部２０１と、この支柱部２０１を起立させた状態で保持する脚部２０２を有する。支柱部２０１には図６および図７で後述するように最大２個の本体部１００を上下二段に取り付け可能であり、さらにトレー部２０４、２０５と表示部３００が取り付け可能である。トレー部２０４、２０５には心電測定に用いる電極や血圧測定に用いるカフなどの医療器具やその他のものが載置または係止可能である。
【００２３】
支柱部２０１は、脚部２０２から立設された第１の支柱部２０１ａと、第１の支柱部２０１ａに対して伸縮自在な第２の支柱部２０１ｂを含む。そして、第１の支柱部２０１ａには、下部に本体部１００が取り付けられ、上端部には第１のトレー部２０４が取り付けられる。また、第２の支柱部２０１ｂには、上端部に表示部３００が取り付けられ、その下部に第２のトレー部２０５が取り付けられる。第１のトレー部２０４は第２のトレー部２０５より大きな容量を有する。
【００２４】
第２の支柱部２０１ｂは、第１の支柱部２０１ａの中空部にスライド可能に挿入され、第２のトレー部２０５の裏面に設けられたレバー部材２１０を両手で押しながら操作することで、第１の支柱部２０１ａの上端部から上方に伸ばしたり、縮めたりすることで所望の高さに調節することができる。
【００２５】
第１の支柱部２０１ａの太さ（外径）は、本体部１００の溝部１０５の開口幅（Ｘ方向の寸法）とほぼ同等であり、本体部１００は、第１の支柱部２０１ａに溝部１０５を嵌合させた状態で専用の固定部材２２０で第１の支柱部２０１ａに固定される。
【００２６】
脚部２０２は、中央の平面部２０２ａと、平面部２０２ａから放射状に延びる複数本（例えば、５本）のスタンド部２０２ｂを有し、各スタンド部２０２ｂにはストッパー付きのキャスター２０３が取り付けられる。
【００２７】
第１の支柱部２０１ａは、その下端部が平面部２０２ａの略中心部分に接続されて上方に起立した状態で保持される。本体部１００は、第１の支柱部２０１ａに溝部１０５を嵌合させた状態で平面部２０２ａの上面に載置され、専用の固定部材２２０で固定された後、裏面に背面カバー１０６が取り付けられる。なお、本体部１００は、固定部材２２０で固定していない状態であっても、第１の支柱部２０１ａに溝部１０５を嵌合させた状態だけで平面部２０２ａの上面に載置することが可能である。
【００２８】
上述した構成を有する本実施形態の医療機器１は、本体部１００が保持部２００に取り付けられた第１の使用状態と、保持部２００に取り付けない第２の使用状態とが選択可能である。
【００２９】
第１の使用状態は、図１ないし図３、図５および図７に示すように、保持部２００の第１の支柱部２０１ａに溝部１０５を介して本体部１００を１つまたは複数個取り付けた形態である。第１の使用状態では、本体部１００が保持部２００により任意の場所に移動可能となる。そして、本体部１００が１個だけ設置された場合（図１ないし図３の状態）には、例えば、一方のカフを上腕に装着し、他方のカフを足首に装着した状態として各部位で脈波および／または血圧を測定することが可能となる。また、本体部１００が２個設置された場合（図６および図７の状態）には、例えば、複数の被検者の血圧や脈波を測定したり、あるいは、カフを被検者の左右の上腕および左右の足首に装着した状態として各部位で血圧や脈波を同時に測定したりすることが可能となる。なお、本体部１００は上下二段に限らず、三段以上を積み重ねて使用することもできる。この場合、本体部１００の高さ方向（Ｙ方向）のサイズを縮小した構成にしても良い。また、本体部１００を複数個取り付ける場合には、高さ方向のサイズに応じた長さの第１の支柱部２０１が使用可能である。
【００３０】
また、第２の使用状態は、図８に示すように、本体部１００と表示部３００をケーブル４００で接続し、テーブルなどに設置した形態である。第２の使用状態では、本体部１００は保持部２００とは別体として単体で使用可能となる。もちろん、本体部１００は１個だけに限らず、２個以上（図５の状態も含む）を接続して使用することもできる。この場合も、複数の被検者の血圧や脈波を測定したり、あるいは、カフを被検者の左右の上腕および左右の足首に装着した状態として各部位で血圧や脈波を同時に測定したりすることが可能となる。
【００３１】
上述した構成を有する本実施形態の医療機器１は、本体部１００の一側面に上下方向に沿って保持部２００の支柱部２０１に取り付け可能な断面Ｕ字状の溝部１０５を形成した。この構成によれば、本体部１００が溝部１０５を介して保持部２００の支柱部２０１に取り付けられた状態で、本体部１００に内蔵される制御ユニット１３０や電源ユニット１６０、各測定モジュール１４０、１５０などの重量物が支柱部２０１の近くに位置するので、従来の、支柱部に片持ち梁に本体部を取り付ける構造と比較して本体部１００の重心位置を支柱部２０１により近づけることができる。そのため、支柱部２０１と本体部１００の重心位置との距離が短くなり、保持部２００に作用する回転モーメントを小さくすることができる。これにより、図９に示す従来の構成における脚部２０２’の外接円よりも小さい面積の保持部２００によって本体部１００を安定して保持することが可能になり、保持部２００を小型化できる。
【００３２】
さらに、支柱部２０１と本体部１００の重心位置との距離が短くなることにより、図９に示した従来の構成のように片持ち梁状に装置本体１００’を支持する構成に比べて、支柱部２０１の強度を下げることが可能となり、支柱部２０１や保持部２００のさらなる軽量化や小型化を図ることができる。
【００３３】
また、本実施形態の医療機器１は、溝部１０５に嵌合可能なロッド（棒）状の部材であれば、どのようなものにも取り付け可能であるので、使用可能な範囲を拡大することができる。
【００３４】
また、本実施形態の医療機器１が、保持部２００に取り付けた第１の使用状態と、保持部２００から取り外して単体で設置される第２の使用状態とが選択可能であることによって、用途に応じて本体部１００の使用状態や複数段のレイアウトなどを任意に選択できる。
【００３５】
なお、本発明の医療機器は、上述した実施形態の心電・血圧測定用の医療機器に限らず、病院内や在宅で使用できる他の様々な医療用機器の本体構造として適用可能である。例えば、本実施形態の医療機器１の筐体部１０１には、心電測定モジュール１４０や血圧脈波測定モジュール１５０に限らず、他の任意の測定モジュールを装着することができる。例えば、ＳＰＯ2測定モジュールなどを装着して生体情報モニタを実現することができる。また、モジュールを装着可能な構造である必要はなく、心電計や血圧計といった特定の機能を実現する測定装置、検査装置、診断装置などの本体構造にも適用できる。特に、移動可能であることが望ましい任意の医療機器に対して有利に適用できる。
【符号の説明】
【００３６】
１…医療機器、１００…本体部、１０１…筐体部、１０５…溝部、１３０…制御ユニット、１４０…心電測定モジュール、１５０…血圧脈波測定モジュール、１６０…電源ユニット、２００…保持部、２０１…支柱部、３００…表示部
【図１】
0006554293.tif 000002
【図２】
0006554293.tif 000003
【図３】
0006554293.tif 000004
【図４】
0006554293.tif 000005
【図５】
0006554293.tif 000006
【図６】
0006554293.tif 000007
【図７】
0006554293.tif 000008
【図８】
0006554293.tif 000009
【図９】
0006554293.tif 000010